(57)【特許請求の範囲】
【請求項１】
給水口、出湯口およびガス補給口を有する複数台の給湯器と、給水口より流入する給水温度により複数台の前記給湯器の運転台数を制御する制御機器と、前記給湯器および前記制御機器を積載する積載架台と、前記積載架台に設置される複数の分岐部を有する給湯往管と、一端を前記給湯器の出湯口に且つ他端を前記給湯往管の分岐部に接続する出湯接続管と、前記積載架台に設置される複数の分岐部を有する給湯還管と、一端を前記給湯器の給水口に且つ他端を前記給湯還管の分岐部に接続する給水接続管と、前記積載架台に配設され、前記給湯往管または前記給湯還管に接続される移送手段と、前記給湯往管または前記給湯還管に接続される圧力調整手段と、前記積載架台に設置される一端を給水供給手段に且つ他端を前記給湯還管に接続する補給水管と、前記補給水管に配設される逆流防止弁と、前記積載架台に設置される複数の分岐部を有するガス供給管と、一端を前記各給湯器のガス補給口に且つ他端を前記ガス供給管の分岐部に接続するガス供給接続管とからなる給湯装置。
【請求項２】
圧力調整手段を積載架台内に設置したことを特徴とする請求項１記載の給湯装置。
【請求項３】
補給水管は、補給水量計量手段を備えていることを特徴とする請求項１または請求項２記載の給湯装置。
【発明の詳細な説明】
【０００１】
【発明の属する技術分野】
本発明は、ホテルや病院等の中央式給湯設備に適用される給湯装置に関するものである。
【０００２】
【従来の技術】
一般にホテルや病院等のような給湯使用箇所が多く、また給湯使用量が多い場合は、機械室等に貯湯型の給湯装置を設置して、それより配管にて湯を各給湯使用箇所に供給する中央式給湯設備が適用されている。通常、この中央式給湯設備は、給湯装置で作られた湯を給湯装置と各給湯使用箇所との間を給湯往管と給湯還管とで構成する循環配管にて接続し、その循環配管内に循環ポンプ等を配設して湯を強制循環する構成となっている。
【０００３】
ところで、この中央式給湯設備で使用される給湯装置には、いろいろの構成のものがある。
まず、熱源を生成する蒸気ボイラと貯湯槽とを備えた構成の給湯装置がある。この給湯装置は、貯湯槽内に熱交換器である加熱コイルが内蔵され、該加熱コイルの一次側から蒸気ボイラで生成された加熱蒸気を送ることにより、貯湯槽内の湯水を加温して貯蔵するようになっている。
また、温水を生成するボイラと貯湯槽とで構成された給湯装置もあり、この給湯装置の場合、熱交換器は貯湯槽に内蔵する方法と、別に熱交換器を用意してそれぞれを配管で接続する方法とがある。さらに、給湯ボイラにより直接湯を貯湯槽へ供給する場合もある。
【０００４】
上記のような給湯装置では、いずれの場合も容量の大きな貯湯槽が必要であり、また、貯湯槽のメンテナンス時にも各所への給湯を継続するためには、１つの循環系統に複数台の貯湯槽を並列設置する必要があるなどの問題点があった。
【０００５】
そこで、上記問題点を解消するために、図４に示すような湯沸器並列設置型の給湯装置が既に提案されている。この給湯装置は、小型の瞬間湯沸器１を給湯往管２と給湯還管３との間に複数台並列に設置し、給湯使用量に応じて動作する瞬間湯沸器１の台数を制御するための制御装置４を備えたものである。なお、図４において、前記給湯往管２および前記給湯還管３は建物内に配管されているもので、建物内の循環管路を構成している。２ａは前記給湯往管２に接続された給湯個所（蛇口）、５は前記給湯還管３に設けられた循環ポンプ、６は建物内に配管された燃料ガス配管である。
【０００６】
このような給湯装置をユニット化したものが図５に示す湯沸器並列設置型の給湯ユニットである。この給湯ユニットは、架台フレーム７に対して、複数台の瞬間湯沸器１と、それぞれの瞬間湯沸器１の給水口から延びる給水配管８および該給水配管８のそれぞれを１本にまとめる給水主管９と、前記各瞬間湯沸器１の出湯口から延びる出湯配管１０および該出湯配管１０のそれぞれを１本にまとめる出湯主管１１と、前記各瞬間湯沸器１の燃料ガス補給口から延びる燃料ガス補給配管１２および該燃料ガス補給配管１２のそれぞれを１本にまとめる燃料ガス供給主管１３とを設置した構成となっている。
【０００７】
かかる給湯ユニットを中央式給湯設備として現場設置する際には、建物内に配管された循環管路の給湯還管３に給湯ユニットの前記給水主管９を接続すると共に、前記循環管路の給湯往管２に給湯ユニットの前記出湯主管１１を接続し、かつ建物内の燃料ガス配管６に給湯ユニットの燃料ガス供給主管１３を接続する。これにより、現場設置時の省力化、およびコスト低減が図れるというものである。
【０００８】
【発明が解決しようとする課題】
従来の給湯装置は以上のように構成され、その給湯ユニットには、循環ポンプや圧力調整手段及び逆流防止弁などが組み込まれていないため、以下に述べるような課題があった。
すなわち、一般に実際の中央式給湯設備では、湯沸器並列設置型の給湯ユニットに近い部分での給湯還管３に循環管路内の湯を強制循環させるための循環ポンプ５が設置され、各給湯個所２ａでの使用量に応じて給水設備より水を補給する補給水管が接続され、さらに補給水管には給水設備への湯の逆流を防止するための逆流防止弁が設置され、機器廻り等のメンテナンス用に閉止弁も設置されている。また、給湯循環配管では、給湯個所２ａで湯が使用されない状況が続くと水の膨張による圧力上昇が発生するので、この圧力調整のために通常は膨張タンク等を設けて対応する。さらには、建物内の給水設備全体における給湯設備の供給量を把握するために補給水管に量水器を設置することもある。
【０００９】
しかしながら、上述した従来の湯沸器並列設置型の給湯ユニットでは、循環ポンプや膨張タンクおよび量水器などの機器・逆流防止弁や閉止弁などの弁類・配管廻りを全て現場において別途施工しなければならず、その施工作業に時間がかかり、品質の向上、現場での作業時間の短縮・省力化およびコストの点で課題があった。また、膨張タンクを圧力調整手段として使用する場合には、その膨張タンクの現場への搬入作業および設置場所への据付作業を給湯ユニットの据付作業とは別に行わなければならないという課題があった。
【００１０】
本発明は上記のような課題を解決するためになされたもので、補給水管と給湯還管との接続部分の配管廻り及び各種の弁類を現場搬入前に工場等で組み込むことができ、品質の向上、現場での作業時間の短縮・省力化、それに伴うコストダウンを図ることができる給湯装置を得ることを目的とする。
【００１１】
また、本発明は、膨張タンクを圧力調整手段として使用する場合であっても、その膨張タンクを給湯ユニットの据付作業とは別に現場へ搬入したり設置場所に据え付けたりする必要がなく、現場での作業を大幅に簡略化できる給湯装置を得ることを目的とする。
【００１２】
さらに、本発明は、給湯循環系統の給湯使用量を計量する場合でも、現場作業の省力化が図れる給湯装置を得ることを目的とする。
【００１３】
【課題を解決するための手段】
請求項１記載の発明に係る給湯装置は、給水口、出湯口およびガス補給口を有する複数台の給湯器と、給水口より流入する給水温度により複数台の前記給湯器の運転台数を制御する制御機器と、前記給湯器および前記制御機器を積載する積載架台と、前記積載架台に設置される複数の分岐部を有する給湯往管と、一端を前記給湯器の出湯口に且つ他端を前記給湯往管の分岐部に接続する出湯接続管と、前記積載架台に設置される複数の分岐部を有する給湯還管と、一端を前記給湯器の給水口に且つ他端を前記給湯還管の分岐部に接続する給水接続管と、前記積載架台に配設され、前記給湯往管または前記給湯還管に接続される移送手段と、前記給湯往管または前記給湯還管に接続される圧力調整手段と、前記積載架台に設置される一端を給水供給手段に且つ他端を前記給湯還管に接続する補給水管と、前記補給水管に配設される逆流防止弁と、前記積載架台に設置される複数の分岐部を有するガス供給管と、一端を前記各給湯器のガス補給口に且つ他端を前記ガス供給管の分岐部に接続するガス供給接続管とからなるものである。
【００１４】
請求項２記載の発明に係る給湯装置は、圧力調整手段を積載架台内に設置したものである。
【００１５】
請求項３記載の発明に係る給湯装置は、補給水管に補給水量計量手段を設けたものである。
【００１６】
【発明の実施の形態】
以下、この発明の実施の一形態を説明する。
実施の形態１．
図１はこの発明の実施の形態１による給湯装置を示す概略的な正面図、図２は図１のＡ−Ａ線に沿った断面図、図３は図１のＢ−Ｂ線に沿った断面図である。図において、２０は積載架台であり、この積載架台２０には、複数台の給湯器２１と一基の制御機器２２が並列配置状態に積載されている。ここで、前記各給湯器２１は、それぞれ給水口と出湯口およびガス補給口を有している。また、前記制御機器２２は、前記給湯器２１の給水口から流入する給水の温度により前記給湯器２１の運転台数を制御するものである。
【００１７】
２３は前記積載架台２０に設置された給湯往管であり、この給湯往管２３は複数の分岐部２３ａ（図３参照）を有している。２４は一端が前記各給湯器２１の出湯口に接続され且つ他端が前記給湯往管２３の分岐部２３ａに接続された出湯接続管、２５は前記積載架台２０に設置された給湯還管であり、この給湯還管２５は複数の分岐部２５ａを有している。
【００１８】
２６は一端が前記各給湯器２１の給水口に接続され且つ他端が前記給湯還管２５の分岐部２５ａに接続された給水接続管、２７は前記積載架台２０に配設されて給湯還管２５に接続された循環ポンプであり、この循環ポンプ２７は湯水を強制循環させる移送手段となるもので、前記給湯往管２３に接続させてもよいものである。２８は前記積載架台２０上に搭載された圧力調整手段としての膨張タンクであり、この膨張タンク２８は、図において前記給湯往管２３に接続されているが、前記給湯還管２５に接続してもよいものである。
【００１９】
２９は前記積載架台２０に設置された補給水管であって、一端が給水供給手段（図示せず）に接続されるようになっており、他端が前記給湯還管２５に接続されている。３０は前記給湯還管２５に接続配置された逆流防止弁、３１は前記補給水管２９に接続配置された逆流防止弁、３２は前記積載架台２０に設置されたガス供給管であって、複数の分岐部３２ａを有している。３３は一端が前記各給湯器２１のガス補給口に接続され且つ他端が前記ガス供給管３２の分岐部３２ａに接続されたガス供給接続管、３４は前記補給水管２９に設けられた量水器（補給水量計量手段）、３５は前記積載架台２０に搭載配置された電気供給管であり、この電気供給管３５は前記各給湯器２１および前記制御機器のそれぞれの電気系統に複数の電気接続管３６で接続されている。
【００２０】
以上のようなユニット構成の給湯装置は、現場搬入前に工場等で予め組み立てられ、中央式給湯設備の据付現場では、給湯往管２３を給湯使用個所への配管に接続し、給湯還管２５を給湯使用個所からの配管に接続し、補給水管２９を給水供給手段に接続し、ガス供給管３２をガス供給設備に接続し、電気供給管３５を電気供給設備に接続すればよい。
【００２１】
なお、上記実施の形態１では、圧力調整手段として湯が系外に漏れない密閉式の膨張タンク２８を使用したが、その膨張タンク２８は開放式のものであってもよく、作用効果に差異はない。また、前記膨張タンク２８に換えて圧力逃がし弁を圧力調整手段としてもよく、この場合、圧力逃し弁から排水ホッパーまでの配管を現場にて施工する必要があるが、同様の作用効果が得られるものである。さらには、必要に応じてガス供給管３２に燃料ガス使用量を計量するガス計量器を設け、これを積載架台２０内に設置してもよい。さらに、給水供給手段から補給水管２９までの経路中に、補給水水温を余熱程度に昇温させることができる、例えば、太陽熱給湯システムや廃熱利用熱交換システムなどのような昇温手段を設置することもできる。これにより、給湯器２１の同時動作台数および動作時間を、前記昇温手段を設置しない場合よりも減らすことができ、ランニングコストの低減および大幅な省エネルギー化を図ることができる。
【００２２】
【発明の効果】
以上説明したように、請求項１記載の発明によれば、複数台の給湯器と、これらの給湯器の運転台数を制御する制御機器と、前記各給湯器の出湯口に出湯接続管を介して接続される給湯往管と、前記各給湯器の給水口に給水接続管を介して接続される給湯還管と、前記各給湯器のガス補給口にガス供給接続管を介して接続されるガス供給管とのそれぞれを積載架台に設置すると共に、その積載架台には、前記給湯往管または前記給湯還管に接続される移送手段および一端を給水供給手段に且つ他端を前記給湯還管に接続する補給水管をも設置し、かつ、前記補給水管には逆流防止弁を設置して給湯ユニットを構成したので、補給水管と給湯還管との接続部分の配管廻り及び各種の弁類を現場搬入前に工場等で組み込むことができ、前記配管廻りや移送手段および逆流防止弁などを給湯ユニットの設置現場で別途施工する必要がなく、このため、品質の向上、現場での作業時間の短縮・省力化、それに伴うコストダウンを図ることができるという効果がある。
【００２３】
請求項２記載の発明によれば、積載架台に圧力調整手段を組み込むように構成したので、その圧力調整手段として膨張タンクを使用する場合、従来は膨張タンクの搬入作業および設置場所への据付作業を給湯ユニットの据付作業とは別に行う必要があったが、その必要がなくなり、現場での作業を大幅に簡略化できるという効果がある。
【００２４】
請求項３記載の発明によれば、補給水管に補給水量計量手段を設けるように構成したので、給湯循環系統の給湯使用量を計量することができると共に、その補給水量計量手段を給湯ユニットの据付作業とは別に組み込むような別途作業が不要となり、現場作業の省力化が図れるという効果がある。
【図面の簡単な説明】
【図１】本発明の実施の形態１による給湯装置を示す概略的な正面図である。
【図２】図１のＡ−Ａ線に沿った断面図である。
【図３】図１のＢ−Ｂ線に沿った断面図である。
【図４】従来の中央式給湯装置を示す系統図である。
【図５】図４の中央式給湯装置に適用される給湯ユニットの正面図である。
【符号の説明】
２０  積載架台
２１  給湯器
２２  制御機器
２３  給湯往管
２４  出湯接続管
２５  給湯還管
２６  給水接続管
２７  循環ポンプ（移送手段）
２８  膨張タンク（圧力調整手段）
２９  補給水管
３０，３１  逆流防止弁
３２  ガス供給管
３３  ガス供給接続管
３４  量水器（補給水量計量手段）
３５  電気供給管
３６  電気接続管
【図１】
0003660231.tif 000002
【図２】
0003660231.tif 000003
【図３】
0003660231.tif 000004
【図４】
0003660231.tif 000005
【図５】
0003660231.tif 000006